(57)【要約】【課題】  様々な極性のイオン／オゾンを最適に発生させ、イオン／オゾンの凝集レベルを最適に制御し、隣接する空気に対するイオン／オゾンの分配や混合を最適に操作することができる整髪用組合体を提供すること。【解決手段】  １または複数の加熱体を有するハウジングを備えた整髪用組合体を提供する。この部材は１または複数の熱ヘアカーラーと協働する。また、整髪用組合体は、イオンおよび／またはオゾンを放射する１または複数のイオンおよび／またはオゾン放射体を備えている。さらに、整髪用組合体は、熱ヘアカーラーを選択的に覆うための蓋部およびベース部を有するハウジングと、１または複数のイオンおよび／またはオゾン放射体と、ハウジングに接続可能な支持体とを備え、表面上に載せたときにハウジングは軸を中心として少なくとも一つの方向に特定の角度で傾斜することができるようになっている。
2005537066.tif 000002
【特許請求の範囲】
【請求項１】
１または複数の熱ヘアカーラーと協働する１または複数の加熱体を内蔵したハウジングと、
イオンおよび／またはオゾンを放射する１または複数のイオンおよび／またはオゾン放射体と、
を備えた整髪用組合体。
【請求項２】
前記ハウジングには、前記の１または複数の熱ヘアカーラーへの選択的な経路が設けられていることを特徴とする請求項１記載の整髪用組合体。
【請求項３】
前記ハウジングは、ベース部および蓋部を有することを特徴とする請求項１記載の整髪用組合体。
【請求項４】
前記蓋部は、前記ベース部に各々連結する少なくとも２つの部分を有することを特徴とする請求項３記載の整髪用組合体。
【請求項５】
前記の少なくとも２つの部分は、前記の１または複数の熱ヘアカーラーおよび／または前記の１または複数のイオン／オゾン放射体を選択的に覆うよう、各々独立して作動することを特徴とする請求項４記載の整髪用組合体。
【請求項６】
前記ハウジングは、持ち運びに使い勝手が良く容易に格納することができるような、比較的小型のものであることを特徴とする請求項１記載の整髪用組合体。
【請求項７】
前記の１または複数の熱ヘアカーラーは、伝導性の内面を有することを特徴とする請求項１記載の整髪用組合体。
【請求項８】
前記の１または複数の熱ヘアカーラーは、非伝導性の材料からなる外面を有することを特徴とする請求項１記載の整髪用組合体。
【請求項９】
前記外面は、視認可能な温度計を有することを特徴とする請求項８記載の整髪用組合体。
【請求項１０】
前記外面は、温度検知材料から形成されていることを特徴とする請求項８記載の整髪用組合体。
【請求項１１】
前記外面は、織り目加工されていることを特徴とする請求項８記載の整髪用組合体。
【請求項１２】
前記外面は、柔軟なものであることを特徴とする請求項８記載の整髪用組合体。
【請求項１４】
前記外面は、前記イオンおよび／またはオゾンに曝されることを特徴とする請求項８記載の整髪用組合体。
【請求項１５】
前記の１または複数のイオンおよび／またはオゾン放射体は、異なる極性のイオンおよび／またはオゾンを選択的に発生させることを特徴とする請求項１記載の整髪用組合体。
【請求項１６】
前記の１または複数のイオンおよび／またはオゾン放射体は、様々な電圧出力を行うことを特徴とする請求項１記載の整髪用組合体。
【請求項１７】
前記の１または複数のイオンおよび／またはオゾン放射体は、伝導性の材料から形成されていることを特徴とする請求項１記載の整髪用組合体。
【請求項１８】
前記の１または複数のイオンおよび／またはオゾン放射体は、伝導性の重合体から形成されていることを特徴とする請求項１記載の整髪用組合体。
【請求項１９】
前記の１または複数のイオンおよび／またはオゾン放射体は、伝導性のシリコンから形成されていることを特徴とする請求項１記載の整髪用組合体。
【請求項２０】
前記の１または複数のイオンおよび／またはオゾン放射体は、一列に配列されていることを特徴とする請求項１記載の整髪用組合体。
【請求項２１】
前記のイオンおよび／またはオゾンは、使用者の髪および／または体を当該イオンおよび／またはオゾンに触れさせるよう空気中で飽和しているものであることを特徴とする請求項１記載の整髪用組合体。
【請求項２２】
前記の１または複数のイオンおよび／またはオゾン放射体は、前記ハウジングを有するケーシング全体の内部に位置していることを特徴とする請求項１記載の整髪用組合体。
【請求項２３】
前記ケーシングは、前記ハウジングから選択的に取り外すことができるようになっていることを特徴とする請求項２１記載の整髪用組合体。
【請求項２４】
前記の１または複数のイオンおよび／またはオゾン放射体に動作可能に接続され、イオンおよび／またはオゾンを発生させる１または複数のイオンおよび／またはオゾン発生器を更に備えたことを特徴とする請求項１記載の整髪用組合体。
【請求項２５】
前記の１または複数のイオンおよび／またはオゾン発生器は、異なる極性のイオンおよび／またはオゾンを選択的に発生させることを特徴とする請求項２３記載の整髪用組合体。
【請求項２６】
前記の１または複数のイオンおよび／またはオゾン発生器は、様々な電圧出力を行うことを特徴とする請求項２３記載の整髪用組合体。
【請求項２７】
前記ハウジングに接続された基台を更に備え、
前記ハウジングが前記基台上で移動することができるようになっていることを特徴とする請求項１記載の整髪用組合体。
【請求項２８】
前記ハウジングは、前記ハウジングの垂直方向に延びる回転軸に対して傾斜することができるようになっていることを特徴とする請求項２６記載の整髪用組合体。
【請求項２９】
前記ハウジングは、前記軸に対して予め設定された角度で傾斜することができるようになっていることを特徴とする請求項２７記載の整髪用組合体。
【請求項３０】
前記の傾斜動作により、使用者がより容易に前記の１または複数の熱ヘアカーラーにアクセスすることができ、前記の放射されたイオンおよび／またはオゾンの放射方向を都合良く操作することができるようになっていることを特徴とする請求項２８記載の整髪用組合体。
【請求項３１】
１または複数の加熱体を内蔵したハウジングであって、前記の１または複数の加熱体は１または複数の熱ヘアカーラーを支持して加熱するようなハウジングと、
イオンおよび／またはオゾンを放射する１または複数のイオンおよび／またはオゾン放射体と、
前記の１または複数の熱ヘアカーラーおよび前記の１または複数のイオン放射体を選択的に覆う蓋部と、
前記ハウジングに接続し、このハウジングを軸に対して少なくとも１つの方向に特定の角度で傾斜させる基台と、
を備えた整髪用組合体。
【請求項３２】
１または複数の熱ヘアカーラーと協働する１または複数の第１の加熱体を内蔵したハウジングと、
イオンおよび／またはオゾンを放射する１または複数のイオンおよび／またはオゾン放射体と、
蒸気を発生させる少なくとも１つの蒸気機構であって、前記蒸気は選択的にイオンおよび／またはオゾンを受けるような蒸気機構と、
を備えた整髪用組合体。
【請求項３３】
１または複数の加熱体を内蔵したハウジングと、
前記の１または複数の加熱体と協働し、少なくとも１つの断熱された端部を有する１または複数の熱ヘアカーラーと、
前記の１または複数の熱ヘアカーラーのうち少なくとも１つのものに対応する視認可能な温度計と、
を備えたイオンの整髪用組合体。
【請求項３４】
１または複数の熱ヘアカーラーを保持する小型のハウジングであって、前記の１または複数の熱ヘアカーラーは温度検知表面および少なくとも１つの断熱された端部を有するような小型のハウジングを備え、
前記の１または複数の熱ヘアカーラーはマイナスイオンの条件下とされることを特徴とするイオンの小型整髪用組合体。
【請求項３５】
１または複数の加熱体を内蔵したハウジングと、
前記の１または複数の加熱体と協働する１または複数の熱ヘアカーラーであって、前記の１または複数の熱ヘアカーラーは温度検知表面および少なくとも１つの断熱された端部を有するような熱ヘアカーラーと、
イオンおよび／またはオゾンを放射する１または複数のイオンおよび／またはオゾン放射体と、
前記の１または複数の熱ヘアカーラーのうち少なくとも１つのものに対応する視認可能な温度計と、
を備えたイオンの整髪用組合体。
【発明の詳細な説明】
【技術分野】
【０００１】
本発明は、個人用のケア用品に関する。とりわけ、本発明は、ヘアカーラーの保持および加熱を行う整髪用組合体に関する。さらに、本発明は、イオンおよび／またはオゾンの凝集体を発生させるまたは作り出す整髪用組合体に関する。
【背景技術】
【０００２】
ヘアカーラーの加熱を行う整髪用組合体は一般によく知られている。さらに、様々な異なるヘアケア装置によるイオン化の有益な効果を組み合わせることがよく知られている。例えば、米国特許第６，１８２，６７１号、５，９５７，０９０号、５，９４１，２５３号、５，１５０，４９１号、４，７９７，９６６号、４，５００，９３９号、３，９９７，８１７号および３，８９２，２４７号を参照されたい。
【０００３】
上述の文献には、様々な極性のイオン／オゾンを最適に発生させ、イオン／オゾンの凝集レベルを最適に制御し、隣接する空気に対するイオン／オゾンの分配や混合を最適に操作することができる整髪用組合体については何ら記載されていない。
【発明の開示】
【発明が解決しようとする課題】
【０００４】
本発明は、髪をカールさせるために用いられるヘアカーラーを加熱する整髪用組合体を提供することを目的とする。
【０００５】
また、本発明の他の目的は、イオンおよび／またはオゾンの凝集体を発生させることができる整髪用組合体を提供することである。
【０００６】
また、本発明の更に他の目的は、異なる強度および極性のイオン／オゾンを発生させることができる整髪用組合体を提供することである。
【０００７】
また、本発明の更に他の目的は、ハウジングを最適に傾斜させて熱ヘアカーラーに容易にアクセスすることができ、イオン凝集体の向きを操作することができる整髪用組合体を提供することである。
【課題を解決するための手段】
【０００８】
本発明の上述の、または他の目的および利点は、本発明の整髪用組合体により達成することができる。この整髪用組合体は、ハウジングと、異なる極性のイオンおよび／またはオゾンを同時にまたは選択的に放射する１または複数のイオンおよび／またはオゾン放射体と、を備えている。さらに、この整髪用組合体は、従来の装置に関連する様々な公知の構成および／または特徴を有していてもよい。とりわけ、組合体のハウジングは、分割された上蓋または蓋部を有しており、熱効率を向上させて使用者がイオン凝集レベルを操作することができるようになっている。また、組合体は、ハウジングのベース部に接続可能なベースまたはスタンドを有しており、前方方向に延びる軸に対して特定の角度でハウジングを傾けることができるようになっている。この傾斜動作により、加熱されたヘアカーラーへのアクセスが容易となり、使用者がやけどをする危険性が減少し、使用者がイオン凝集の程度を操作または制御することができる。
【発明を実施するための最良の形態】
【０００９】
好ましい実施の形態に関する以下の詳細の記載を添付図面とともに参照することにより、本発明をより詳しく理解することができよう。
【００１０】
図面、とりわけ図１に、本発明の好ましい実施の形態による整髪用組合体を参照符号１で示す。整髪用組合体１は、ハウジング５と、ベース部１０と、ベース部１０に枢支により連結されたカバー部２０と、ベースまたはスタンド３０と、イオンおよび／またはオゾンを放射する１または複数のイオン／オゾン放射体４０と、イオンおよび／またはオゾンを発生させる１または複数のイオン／オゾン発生器５０とを備えている。また、整髪用組合体１は、１または複数の熱ヘアカーラー６５を支持する支持体６０を有している。
【００１１】
図３、図４および図６に示すように、ハウジング５は、１または複数の熱伝導性を有する支持体６０を内蔵しており、電源に接続することができるようになっていることが好ましい。１または複数の支持体６０は、ヘアカーラー６５の端部に直接的に形成されまたは傾斜して設けられることがより好ましい。また、図７に示すように、ヘアカーラー６５は熱伝導性を有する支持体の端部を超えて二股に分かれていることが好ましい。今までに記載した態様と同じ目的を達成することができるのであれば、他の形態および適用例を用いてもよい点に留意されたい。例えば、ヘアカーラー６５の頂部の表面から突出した、１または複数の熱伝導性を頂部の表面に有する１枚の熱プレートを設置してもよい。ハウジング５は小型サイズおよび／または形状のものを用いることができ、持ち運びに使い勝手が良く容易に格納することができるようなものとすることができる。
【００１２】
カバー部２０は、第１の部分２１および第２の部分２３からなる少なくとも２つの部分に分割されていることが好ましく、分割された上蓋を形成することができる。第１の部分２１は第２の部分２３と同じものとなっていることが好ましい。カバー部２０は３またはそれ以上の部分に分割されていてもよい。
【００１３】
図２に示すように、第１の部分２１はベース部１０の第１の端部１２に第１のコネクタ１３により枢支によって連結されていることが好ましく、第２の部分２３はベース部１０の第２の端部１４に第２のコネクタ１５により枢支によって連結されていることが好ましい。また、カバー部２０は３またはそれ以上の部分に分割され、各々の追加の部分がベース部１０の後端縁１８に同様に枢支により連結されていることが好ましい。第１の部分２１および第２の部分２３は、ベース部１０の前端縁１７から後端縁１８まで延びる中央線１６に沿ってシールされていることが好ましい。第１のコネクタ１３および第２のコネクタ１５は各々ベース部１０における反対側の端部に配置されていることが好ましい。カバー部２０は３またはそれ以上の部分を含み、３またはそれ以上の各部分はヘアカーラー６５および／または１または複数の放射体４０を選択的に覆うよう協働することが好ましい。
【００１４】
上述の分割された蓋により、ヘアカーラー６５に選択的にアクセスすることができ、このことにより組合体からのイオンの放射範囲を一定の程度で制御することができるとともに熱効率を高めることができる。
【００１５】
図３および図４に示すように、１または複数のイオン／オゾン放射体４０はハウジング５の外側または内側に配置され、あるいはハウジング５の内側および外側に同時に配置される。１または複数のイオン／オゾン放射体はケーシング４５内にあることが好ましい。ケーシング４５は、ハウジング５に全体的に取り付けられ、あるいは清掃および／または取り替えのために１または複数のイオン／オゾン放射体４０に容易にアクセスすることができるよう移動自在となっている。このことは、塵や他の空気中の粒子または汚染物質がイオン放射体５０に集まりがちでありイオン化工程が妨げられる場合に重要となる。
【００１６】
１または複数のイオン／オゾン放射体４０は、異なる極性および／または強度でイオン／オゾンを選択的に放射するのに適合して組合体１の構成および操作に適合する様々な配置を有することが好ましい。例えば、１または複数のイオン／オゾン放射体４０は伝導性の針、複数の針の配列、伝導性のプレートまたは他の類似する構成体から形成されていてもよい。また、１または複数のイオン／オゾン放射体４０は、イオンおよび／またはオゾンを効率よく放射して組合体１の構成および操作に適合するのに十分な材料から形成されていてもよく、例えば伝導性の金属、伝導性の重合体、炭素材から形成されている。さらに、１または複数のイオン／オゾン放射体４０は、シリコンゲルのような伝導性の半流動体から形成されていてもよい。さらに、１または複数のイオン／オゾン放射体４０は、負極または正極、あるいはこれらを組合せたものを有するイオンの凝集物を発生させてもよい。１または複数のイオン／オゾン放射体４０は、ハウジング５を包み込むのに十分な凝集イオンおよび／またはオゾンの予測領域を発生させ、少なくともこの領域は使用者に最も近く使用者の髪および／または体へのイオンおよび／またはオゾンの照射を促進するよう形成されていることが好ましい。
【００１７】
ヘアカーラー６０を露出させることにより、清掃を効率よく行うことができ塵や他の堆積物を減少させ快適な生活を維持することができるという利点の他に、使用者の髪に関する様々な静電気を減少させることができるという利点があることに留意されたい。また、組合体１が異なる整髪（スタイリング）効果を与える蒸気機構（図示せず）を備え、好ましくは１または複数のイオン／オゾン放射体４０が、蒸気機構により作り出された霧または蒸気へのイオンおよび／またはオゾンの注入または導入を行うのに適合するようになっていることに留意されたい。
【００１８】
他の実施の形態においては、１または複数のイオン／オゾン放射体４０は１または複数のイオン／オゾン発生器５０に電気的に接続されていてもよい。１または複数のイオン／オゾン発生器５０はハウジング５の内部、ハウジング５の外部またはハウジング５の内部および外部の両方に同時に配置されていてもよい。また、１または複数のイオン／オゾン発生器５０は組合体１の効率の良い動作を最適化するのに適した様々な位置に配置することができる。１または複数のイオン／オゾン発生器５０としては様々な適合する装置を用いることができる。様々な強度および／または極性の電圧出力を発生させるのに適合させることができるとともに、異なる組合せとすることもできる。さらに、１または複数のイオン／オゾン発生器５０および１または複数のイオン／オゾン放射体４０は、長期間の使用による損傷から守られるとともに、安全を確保するよう構成されていてもよい。
【００１９】
図５に示すように、スタンド３０は、ハウジング５が軸Ａを中心として方向Ｄに予め設定された角度で傾くよう当該ハウジング５に連結されることが好ましい。軸Ａは整髪用組合体１の高さ方向または鉛直方向の軸である。この傾斜動作により、ヘアカーラー６５へのアクセスを容易にし、使用者がやけどする危険性を減少させ、使用者が前記の放射されたイオンおよび／またはオゾンの方向を都合良く調整することができるようになる。ハウジング５のベース部１０は、スタンド３０上に適合して載置されるような形状を有する下位部分３１を有することが好ましい。この下位部分３１は、少なくとも１つの摺動自在のコネクタを有することが好ましい。このコネクタは少なくとも２つの接合部と協働して、当該コネクタが摺動することができるような距離を制御するようになっている。スタンド３０は、摺動自在のコネクタを介して下位部分３１を受けて係合する上面を有することが好ましい。また、下位部分３１およびスタンド３０により、様々な異なる傾斜位置を得ることができる。例えば、スタンド３０は、摺動自在のコネクタの少なくとも２つの接合部の間に独立して配置された１または複数のばね偏向構造体と協働する少なくとも１つの突起部を有していてもよく、このことによりスタンド３０に対してハウジング５の傾斜位置を選択的に得ることができる。
【００２０】
図７に示すように、ヘアカーラー６５は内部ケーシングまたは伝導性の材料からなる表面６１、ならびに外部ケーシングまたは非伝導性の材料からなる表面６３を有することが好ましい。内部表面６１は、伝導性材料からの熱の伝導を促進するとともに蓄熱を促進する。外部表面６３は、伝導性材料からの熱の伝導量および効果を最適化し、髪のカール効果を高め、使用者が肌をやけどすることなく握ることができ、および／または視認可能な温度計を提供することが好ましい。この視認可能な表示器の特徴は、様々な温度検知材料を使用することにより達成される。代わりに、１または複数の熱ヘアカーラーのうち１または複数のものが熱検知センサ／温度計を組み込んでいてもよい。外部表面６３は取り外し可能および／または交換可能なものとなっていてもよい。また、外部表面６３は握ったりおよび／または操作したりするのに適した織り目加工されたものまたは柔軟なものとなっている。
【００２１】
図１から明らかなように、各ヘアカーラー４０は非伝導性の蓋６２およびタブ６４を有することが好ましい。タブ６４は少なくとも１つの端部となっており、ハンドリング性を促進して肌をやけどする可能性を低減している。この端部の蓋は様々なヘアカーラーの快適なハンドリング性を促進するのに適した形状を有していることに留意されたい。
【００２２】
本発明について好ましい実施の形態を参照して説明したが、本発明の趣旨や意図から逸脱することのない範囲で様々な変更および改良を加えることができることは明らかであろう。
【図面の簡単な説明】
【００２３】
【図１】本発明の好ましい実施の形態による整髪用組合体の前面図である。
【図２】図１の整髪用組合体の第１の上面図である。
【図３】図１の整髪用組合体の正面断面図である。
【図４】図１の整髪用組合体の側断面図である。
【図５】図１の整髪用組合体の側面図であって、傾斜位置にあるハウジングを示す図である。
【図６】図１の整髪用組合体の第２の上面図であって、異なる大きさのヘアカーラーの配置を示す図である。
【図７】整髪用組合体に用いられるヘアカーラーの側面図である。
【図１】
2005537066.tif 000003
【図２】
2005537066.tif 000004
【図３】
2005537066.tif 000005
【図４】
2005537066.tif 000006
【図５】
2005537066.tif 000007
【図６】
2005537066.tif 000008
【図７】
2005537066.tif 000009
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
１または複数の熱ヘアカーラーと協働する１または複数の加熱体を内蔵したハウジングと、
イオンおよび／またはオゾンを放射する１または複数のイオンおよび／またはオゾン放射体と、
を備えた整髪用組合体。
【請求項２】
前記ハウジングには、前記の１または複数の熱ヘアカーラーへの選択的な経路が設けられていることを特徴とする請求項１記載の整髪用組合体。
【請求項３】
前記ハウジングは、ベース部および蓋部を有することを特徴とする請求項１記載の整髪用組合体。
【請求項４】
前記蓋部は、前記ベース部に各々連結する少なくとも２つの部分を有することを特徴とする請求項３記載の整髪用組合体。
【請求項５】
前記の少なくとも２つの部分は、前記の１または複数の熱ヘアカーラーおよび／または前記の１または複数のイオン／オゾン放射体を選択的に覆うよう、各々独立して作動することを特徴とする請求項４記載の整髪用組合体。
【請求項６】
前記ハウジングは、持ち運びに使い勝手が良く容易に格納することができるような、比較的小型のものであることを特徴とする請求項１記載の整髪用組合体。
【請求項７】
前記の１または複数の熱ヘアカーラーは、伝導性の内面を有することを特徴とする請求項１記載の整髪用組合体。
【請求項８】
前記の１または複数の熱ヘアカーラーは、非伝導性の材料からなる外面を有することを特徴とする請求項１記載の整髪用組合体。
【請求項９】
前記外面は、視認可能な温度計を有することを特徴とする請求項８記載の整髪用組合体。
【請求項１０】
前記外面は、温度検知材料から形成されていることを特徴とする請求項８記載の整髪用組合体。
【請求項１１】
前記外面は、織り目加工されていることを特徴とする請求項８記載の整髪用組合体。
【請求項１２】
前記外面は、柔軟なものであることを特徴とする請求項８記載の整髪用組合体。
【請求項１３】
前記外面は、前記イオンおよび／またはオゾンに曝されることを特徴とする請求項８記載の整髪用組合体。
【請求項１４】
前記の１または複数のイオンおよび／またはオゾン放射体は、異なる極性のイオンおよび／またはオゾンを選択的に発生させることを特徴とする請求項１記載の整髪用組合体。
【請求項１５】
前記の１または複数のイオンおよび／またはオゾン放射体は、様々な電圧出力を行うことを特徴とする請求項１記載の整髪用組合体。
【請求項１６】
前記の１または複数のイオンおよび／またはオゾン放射体は、伝導性の材料から形成されていることを特徴とする請求項１記載の整髪用組合体。
【請求項１７】
前記の１または複数のイオンおよび／またはオゾン放射体は、伝導性の重合体から形成されていることを特徴とする請求項１記載の整髪用組合体。
【請求項１８】
前記の１または複数のイオンおよび／またはオゾン放射体は、伝導性のシリコンから形成されていることを特徴とする請求項１記載の整髪用組合体。
【請求項１９】
前記の１または複数のイオンおよび／またはオゾン放射体は、一列に配列されていることを特徴とする請求項１記載の整髪用組合体。
【請求項２０】
前記のイオンおよび／またはオゾンは、使用者の髪および／または体を当該イオンおよび／またはオゾンに触れさせるよう空気中で飽和しているものであることを特徴とする請求項１記載の整髪用組合体。
【請求項２１】
前記の１または複数のイオンおよび／またはオゾン放射体は、前記ハウジングを有するケーシング全体の内部に位置していることを特徴とする請求項１記載の整髪用組合体。
【請求項２２】
前記ケーシングは、前記ハウジングから選択的に取り外すことができるようになっていることを特徴とする請求項２１記載の整髪用組合体。
【請求項２３】
前記の１または複数のイオンおよび／またはオゾン放射体に動作可能に接続され、イオンおよび／またはオゾンを発生させる１または複数のイオンおよび／またはオゾン発生器を更に備えたことを特徴とする請求項１記載の整髪用組合体。
【請求項２４】
前記の１または複数のイオンおよび／またはオゾン発生器は、異なる極性のイオンおよび／またはオゾンを選択的に発生させることを特徴とする請求項２３記載の整髪用組合体。
【請求項２５】
前記の１または複数のイオンおよび／またはオゾン発生器は、様々な電圧出力を行うことを特徴とする請求項２３記載の整髪用組合体。
【請求項２６】
前記ハウジングに接続された基台を更に備え、
前記ハウジングが前記基台上で移動することができるようになっていることを特徴とする請求項１記載の整髪用組合体。
【請求項２７】
前記ハウジングは、前記ハウジングの垂直方向に延びる回転軸に対して傾斜することができるようになっていることを特徴とする請求項２６記載の整髪用組合体。
【請求項２８】
前記ハウジングは、前記軸に対して予め設定された角度で傾斜することができるようになっていることを特徴とする請求項２７記載の整髪用組合体。
【請求項２９】
前記の傾斜動作により、使用者がより容易に前記の１または複数の熱ヘアカーラーにアクセスすることができ、前記の放射されたイオンおよび／またはオゾンの放射方向を都合良く操作することができるようになっていることを特徴とする請求項２８記載の整髪用組合体。
【請求項３０】
１または複数の加熱体を内蔵したハウジングであって、前記の１または複数の加熱体は１または複数の熱ヘアカーラーを支持して加熱するようなハウジングと、
イオンおよび／またはオゾンを放射する１または複数のイオンおよび／またはオゾン放射体と、
前記の１または複数の熱ヘアカーラーおよび前記の１または複数のイオン放射体を選択的に覆う蓋部と、
前記ハウジングに接続し、このハウジングを軸に対して少なくとも１つの方向に特定の角度で傾斜させる基台と、
を備えた整髪用組合体。
【請求項３１】
１または複数の熱ヘアカーラーと協働する１または複数の第１の加熱体を内蔵したハウジングと、
イオンおよび／またはオゾンを放射する１または複数のイオンおよび／またはオゾン放射体と、
蒸気を発生させる少なくとも１つの蒸気機構であって、前記蒸気は選択的にイオンおよび／またはオゾンを受けるような蒸気機構と、
を備えた整髪用組合体。
【請求項３２】
１または複数の加熱体を内蔵したハウジングと、
前記の１または複数の加熱体と協働し、少なくとも１つの断熱された端部を有する１または複数の熱ヘアカーラーと、
前記の１または複数の熱ヘアカーラーのうち少なくとも１つのものに対応する視認可能な温度計と、
を備えたイオンの整髪用組合体。
【請求項３３】
１または複数の熱ヘアカーラーを保持する小型のハウジングであって、前記の１または複数の熱ヘアカーラーは温度検知表面および少なくとも１つの断熱された端部を有するような小型のハウジングを備え、
前記の１または複数の熱ヘアカーラーはマイナスイオンの条件下とされることを特徴とするイオンの小型整髪用組合体。
【請求項３４】
１または複数の加熱体を内蔵したハウジングと、
前記の１または複数の加熱体と協働する１または複数の熱ヘアカーラーであって、前記の１または複数の熱ヘアカーラーは温度検知表面および少なくとも１つの断熱された端部を有するような熱ヘアカーラーと、
イオンおよび／またはオゾンを放射する１または複数のイオンおよび／またはオゾン放射体と、
前記の１または複数の熱ヘアカーラーのうち少なくとも１つのものに対応する視認可能な温度計と、
を備えたイオンの整髪用組合体。
【国際調査報告】
2005537066.tif 000010